(57)【要約】【課題】不正にメダルの投入を行うゴト行為を防止する。【解決手段】メダルセンサで用いる検知光を通過させる導光孔を遮蔽する遮蔽位置と、外導光孔を露呈する露呈位置との間で移動するシャッタと、このシャッタを遮蔽位置と、露呈位置との間で移動させるソレノイドを設ける。また、メダルセンサの上流側であって、メダル投入口の近傍に、投入されたメダルを検知する通過メダルセンサを設ける。メダル投入口から投入されたメダルが通過メダルセンサによって検知されると、ソレノイドへの給電が行われ、シャッタが遮蔽位置から露呈位置に移動する。これにより、投入されたメダルが正規のメダルである場合には、メダルセンサによってメダルが検知される。【選択図】        図８
2006254992.tif 000002
【特許請求の範囲】
【請求項１】
投入されたメダルが通過するメダル通路と、
前記メダル通路を構成する壁面のうち、前記メダルの両面の一方と対峙する壁面に設けられ、前記メダル通路を通過するメダルを該メダルの通過毎に検知し、カウント信号を出力するカウントセンサと、
前記カウントセンサを遮蔽する遮蔽位置と、前記カウントセンサを露呈する露呈位置との間で移動する遮蔽部材と、
前記カウントセンサに対してメダル通路の上流側に設けられたメダル通過センサからの通過信号を受けて、前記遮蔽部材を前記遮蔽位置から露呈位置まで移動させる駆動装置と、を備えたことを特徴とする不正行為防止装置。
【請求項２】
前記カウントセンサからのカウント信号を計数する第１計数手段と、
前記メダル通過センサからの通過信号を計数する第２計数手段と、
前記第１計数手段の計数値と、第２計数手段の計数値とが一致したか否かを判定する計数値判定手段と、
前記メダル通過センサからの通過信号を受けて、前記シャッタを前記遮蔽位置から前記露呈位置に移動させ、且つ前記計数値判定手段における判定結果が不一致である場合に、前記シャッタを前記露呈位置から前記遮蔽位置に移動させるように、前記駆動装置を駆動制御する駆動制御手段と、を備えていることを特徴とする請求項１記載の不正行為防止装置。
【請求項３】
前記通過信号が出力されてから前記カウント信号が出力されるまでの経過時間を計時する計時手段と、
前記計時手段による経過時間が予め設定された許容時間の範囲内であるか否かを判定する時間判定手段と、
前記時間判定手段の判定で、前記計時手段による経過時間が前記許容時間の範囲外である場合に、前記遮蔽部材を前記露呈位置から遮蔽位置まで移動させるように、前記駆動装置の駆動制御を変更する駆動制御変更手段と、を備えていることを特徴とする請求項１又は２記載の不正行為防止装置。
【請求項４】
請求項１〜３いずれか記載の不正行為防止装置を備えていることを特徴とする遊技機。
【発明の詳細な説明】
【技術分野】
【０００１】
本発明は、メダルの投入時に不正な行為が行われることを防止する不正行為防止装置、及びこれを用いた遊技機に関するものである。
【背景技術】
【０００２】
パチンコ店などの遊技場に設置して使用されるスロットマシンはパチスロ機と称され、その遊技媒体となるメダルに一定の価値が与えられて、ゲーム（遊技）を行って獲得したメダルを種々の景品に交換することができる。なお、遊技媒体には、上記メダルの他に、コインやパチンコ玉、或いは、スロットマシン専用のカード等も含まれるが、本明細書中では、メダルを例にして説明する。また、メダルの投入には、メダルをメダル投入口から投入することの他に、クレジットされたメダルを使用する場合も含まれるが、本明細書中では、「メダルの投入」は、メダルをメダル投入口から投入することを例にして説明する。
【０００３】
例えば、メダルがメダル投入口から投入されると、投入されたメダルは、セレクタと呼ばれる装置の内部に設けられたメダル通路を転動した後、正規なメダルは導入通路へと、正規ではないメダルは返却通路へとそれぞれ導かれるようになっている（特許文献１）。このセレクタの場合、メダル通路に磁気センサが、導入通路に光電センサがそれぞれ設けられている。また、導入通路と返却通路との分岐部分には、導入通路にメダルを導く退避位置と、返却通路にメダルを導く待機位置との間を移動する切り換え板が設けられている。例えばメダル通路を転動するメダルが磁気センサによって検知され、転動するメダルが正規なメダルである場合には、切り換え板が退避位置に移動し、正規のメダルは導入通路に導かれる。一方、正規でないメダルの場合には、切り換え板が待機位置へと移動するので、正規でないメダルは返却通路を介して、払い出されることになる。
【０００４】
また、最近では、上述したセレクタの他に、略Ｌ字状に屈曲されたメダル通路を備えたセレクタが用いられることが多い。この場合、例えば投入されたメダルが正規なメダルの場合には、メダル通路に突出する振り分け部材によってメダルの上端部を支持され、メダル通路からホッパー装置の貯留タンク内へと案内される。この際、セレクタに設けられた光電センサによって検知される。一方、投入されたメダルが、正規なメダルとは大きさの異なるメダルや、不適切なタイミングで投入されたメダルである場合は、上述した振り分け部材によってメダルの上端部が支持されないので、このようなメダルは、メダル通路から逸脱し、払い出されることになる。
【特許文献１】特開平５−１６６０２８号公報
【発明の開示】
【発明が解決しようとする課題】
【０００５】
ところで、近年、正規の方法とは異なる方法によってメダルの投入を行う、いわゆる、ゴト行為が行われることがある。このゴト行為の一つとして、例えば略Ｌ字形状に屈曲した板の先端部に複数のＬＥＤを直列に配置したゴト器具を、メダル投入口からメダル通路の屈曲方向に沿うように挿入させることが挙げられる。この場合、前記複数のＬＥＤを光電センサと対面させた後に、これらＬＥＤを点滅させる。なお、複数のＬＥＤは、それぞれ異なるタイミングでの点滅制御を行って、メダルが通過したことを光電センサに誤って検知させる。これにより、実際にはメダル投入口からメダルを投入してはいないが、スロットマシンの内部ではメダルが投入されていることになる。例えば上記行為を複数回行うことで、メダルのクレジットが行われることになり、ゴト器具を用いたメダルの投入を行う遊技者は、クレジットされたメダルを引き出す、あるいは、投入したメダルによって遊技を行うなどの行為によって不正に利益を得ることができる。
【０００６】
このようなゴト行為によって一部の遊技者が不正に利益を得ることは遊技場の利益に損失が生じさせ、遊技者に、公平な遊技を行うことができないことを理由に遊技に対する興味を失わせることになる。これにより、ゴト行為を防止することは、遊技場の管理者だけではなく、遊技場にスロットマシン提供しているメーカーにとっても最大の課題の１つとなっているが、ゴト行為を防止するための有効な対策が行われていないのが実情である。
【０００７】
本発明は、上記課題を解決するためになされたものであり、不正にメダルの投入を行うゴト行為を防止することができるようにした不正行為防止装置、及びこれを用いた遊技機を提供することを目的とする。
【課題を解決するための手段】
【０００８】
上記目的を達成するために、本発明の不正行為防止装置は、投入されたメダルが通過するメダル通路と、前記メダル通路を構成する壁面のうち、前記メダルの両面の一方と対峙する壁面に設けられ、前記メダル通路を通過するメダルを該メダルの通過毎に検知し、カウント信号を出力するカウントセンサと、前記カウントセンサを遮蔽する遮蔽位置と、前記カウントセンサを露呈する露呈位置との間で移動する遮蔽部材と、前記カウントセンサに対してメダル通路の上流側に設けられたメダル通過センサからの通過信号を受けて、前記遮蔽部材を前記遮蔽位置から露呈位置まで移動させる駆動装置と、を備えたことを特徴とする。なお、カウントセンサを遮蔽するとは、カウントセンサによるメダルの検知を行わないということであり、カウントセンサ自体を遮蔽する他に、カウントセンサが光センサの場合には、光センサで用いる検知光を遮断することも含む。また、カウントセンサを露呈するとは、カウントセンサによるメダルの検知を行うことであり、カウントセンサ自体を露呈させる他に、カウントセンサが光センサの場合には、光センサで用いる検知光をシャッタにより遮断しないということも含む。
【０００９】
また、前記カウントセンサからのカウント信号を計数する第１計数手段と、前記メダル通過センサからの通過信号を計数する第２計数手段と、前記第１計数手段の計数値と、第２計数手段の計数値とが一致したか否かを判定する計数値判定手段と、前記メダル通過センサからの通過信号を受けて、前記シャッタを前記遮蔽位置から前記露呈位置に移動させ、且つ前記計数値判定手段における判定結果が不一致である場合に、前記シャッタを前記露呈位置から前記遮蔽位置に移動させるように、前記駆動装置を駆動制御する駆動制御手段と、を備えていることが好ましい。
【００１０】
前記通過信号が出力されてから前記カウント信号が出力されるまでの経過時間を計時する計時手段と、前記計時手段による経過時間が予め設定された許容時間の範囲内であるか否かを判定する時間判定手段と、前記時間判定手段の判定で、前記計時手段による経過時間が前記許容時間の範囲外である場合に、前記遮蔽部材を前記露呈位置から遮蔽位置まで移動させるように、前記駆動装置の駆動制御を変更する駆動制御変更手段と、を備えていることが好ましい。
【００１１】
また、本発明の遊技機は、上述した不正行為防止装置を備えているものである。
【発明の効果】
【００１２】
本発明の不正行為防止装置によれば、投入されたメダルが通過するメダル通路と、前記メダル通路を構成する壁面のうち、前記メダルの両面の一方と対峙する壁面に設けられ、前記メダル通路を通過するメダルを該メダルの通過毎に検知し、カウント信号を出力するカウントセンサと、前記カウントセンサを遮蔽する遮蔽位置と、前記カウントセンサを露呈する露呈位置との間で移動する遮蔽部材と、前記カウントセンサに対してメダル通路の上流側に設けられたメダル通過センサからの通過信号を受けて、前記遮蔽部材を前記遮蔽位置から露呈位置まで移動させる駆動装置と、を備えたから、例えばメダルが投入された場合には、遮蔽部材が露呈位置まで移動するから投入されたメダルが正規のメダルである場合には、メダルの検知を行うことができるが、例えば正規のメダルを使用せずに、不正にメダル投入を行わせる、所謂ゴト器具を用いた場合には、遮蔽部材は遮蔽位置から露呈位置に移動することがないため、ゴト器具を用いて、不正にメダル投入を行わせる行為を防止することができる。
【００１３】
また、前記カウントセンサからのカウント信号を計数する第１計数手段と、前記メダル通過センサからの通過信号を計数する第２計数手段と、前記第１計数手段の計数値と、第２計数手段の計数値とが一致したか否かを判定する計数値判定手段と、前記メダル通過センサからの通過信号を受けて、前記シャッタを前記遮蔽位置から前記露呈位置に移動させ、且つ前記計数値判定手段における判定結果が不一致である場合に、前記シャッタを前記露呈位置から前記遮蔽位置に移動させるように、前記駆動装置を駆動制御する駆動制御手段と、を備えているから、例えば上述したゴト器具によって、シャッタを露呈位置に移動させて、不正行為を行った場合においても、メダル通過センサからの通過信号の数と、カウントセンサからのカウント信号の数が異なれば、不正なメダル投入を行う行為が実行されていることになり、正規のメダルが投入された場合と、不正なメダル投入が行われていた場合とを差別化することができる。
【００１４】
また、前記通過信号が出力されてから前記カウント信号が出力されるまでの経過時間を計時する計時手段と、前記計時手段による経過時間が予め設定された許容時間の範囲内であるか否かを判定する時間判定手段と、前記時間判定手段の判定で、前記計時手段による経過時間が前記許容時間の範囲外である場合に、前記遮蔽部材を前記露呈位置から遮蔽位置まで移動させるように、前記駆動装置の駆動制御を変更する駆動制御変更手段と、を備えているから、例えば正規のメダルが投入された場合には、通過信号の出力から、カウント信号が出力されるまでの経過時間は一定であるが、ゴト器具を使用して不正にメダルの投入を行う場合には、通過信号の出力から、カウント信号が出力されるまでの経過時間が長くなる、或いは短くなり、また、複数回検知された場合には、その経過時間がまちまちになることから、正規のメダルが投入された場合と、不正なメダル投入が行われていた場合とを差別化することができる。
【発明を実施するための最良の形態】
【００１５】
図１に示すように、スロットマシン２は、収納箱４と、この収納箱４の前面に設けられた前面扉５とからなる筐体３の内部に、第１リール１０、第２リール１１、第３リール１２、ホッパー装置３５（図２参照）、電源装置３６（図２参照）等が配設された構成となっている。
【００１６】
前面扉５は、上部扉６と下部扉７との２枚の扉から構成される。上部扉６には表示窓８が設けられている。表示窓８の奥には第１リール１０、第２リール１１、第３リール１２が配設されている。周知のように、第１リール１０、第２リール１１、第３リール１２の外周には例えば複数種類の図柄が一定間隔で複数個配列されている。これらリールが停止すると、１リール当たり３個の図柄が表示窓８を通して表示され、第１リール１０、第２リール１１、第３リール１２の全てのリールが停止した場合には、計９個の図柄が表示窓８を介して表示される。
【００１７】
この表示窓８の側方には、液晶表示装置１５が設けられている。この液晶表示装置１５は、遊技が実行されている場合にアニメーション表示を用いた演出が行われ、遊技が行われていない場合にデモ表示を行う。
【００１８】
下部扉７の上部には、遊技の開始時に操作される１枚ベットボタン２０、ＭＡＸベットボタン２１、ペイアウトボタン２２などの各種の操作ボタンが設けられている。また、これらボタンの近傍には、メダルが投入された後に操作されるスタートレバー２３や、回転するリールを停止させる第１ストップボタン２５、第２ストップボタン２６、第３ストップボタン２７が設けられている。なお、これらのボタン等の機能はいずれも周知であるので、その詳細については省略する。
【００１９】
下部扉７の上部には、上述したボタンやレバーの他に、メダル３９（図２参照）を投入するメダル投入口２８が設けられている。また、下部扉７の下部には、入賞を得た場合に、メダル３９が払い出される払い出し口２９や、該払い出し口２９から払い出されたメダル３９を貯留するメダル受け皿３０が設けられる。
【００２０】
図２に示すように、下部扉７を開けると、収納箱４の下部に設けられたホッパー装置３５、電源装置３６等が露呈される。ホッパー装置３５は、スロットマシン２における遊技で入賞した場合に入賞に応じた払い出し枚数のメダル３９を払い出す。また、ホッパー装置３５は、メダル３９がクレジットされた状態でペイアウトボタン２２が押圧操作されたときに作動し、クレジットされたメダル３９を、そのクレジット枚数分払い出す。このホッパー装置３５の上部には、メダル３９を貯留する貯留タンク３７が設けられ、後述するメダルセレクタ４０を通過したメダル３９がこの貯留タンク３７に貯留される。
【００２１】
一方、開けられた下部扉７の後面には、メダルセレクタ４０や、メダルセレクタ４０によって不正規であると判断されたメダル３９や、ホッパー装置３５から排出されたメダル３９が案内される排出シュート４１が設けられる。
【００２２】
図３に示すように、メダルセレクタ（不正行為防止装置）４０は、本体基部４５、通過メダルセンサ（メダル通過センサ）４６、振分装置４７、シャッタ（遮蔽部材）４８の他に、図４及び図５に示すメダルセンサ（カウントセンサ）４９を備えている。本体基部４５は樹脂で形成されている。本体基部４５の上面には、メダル入り口４５ａが設けられている。メダルセレクタ４０が下部扉７に組み付けられると、このメダル入り口４５ａはメダル投入口２８に連通し、メダル投入口２８から投入されたメダル３９が、メダル入り口４５ａから後述するメダル通路５１に向けて送り込まれる。
【００２３】
この本体基部４５に設けられるメダル入り口４５ａの長手方向の一端部には、センサ組付部４５ｂが設けられている。このセンサ組付部４５ｂは、本体基部４５の厚みよりも幅が広く、且つ上面が開口された空間から形成されており、この空間に通過メダルセンサ４６が組み付けられる。
【００２４】
この本体基部４５にはメダル通路５１が設けられており、このメダル通路５１は上述したメダル入り口４５ａを上流側端として略Ｌ字状に屈曲するように設けられている。これにより、メダル入口４５ａからメダル通路５１に送り込まれたメダル３９は、メダル通路５１の屈曲した部分まで落下した後に、その進行方向を、落下方向（図３中Ａ方向）と略直交した方向（図３中Ｂ方向）に変化させ、メダル通路５１を案内される。
【００２５】
本体基部４５のメダル通路５１を形成する一方の壁面で、メダル入口４５ａから見てメダル通路５１の屈曲した部分よりも下流側のメダル通路５１の上方には、振分装置取付部４５ｃが設けられている。振分装置取付部４５ｃは、本体基部４５の外周面よりも内側に凹んだ空間から構成されている。この振分装置取付部４５ｃには、メダル通路５１に臨むように振分装置４７が設けられる。
【００２６】
また、本体基部４５に設けられるメダル通路５１の下流側端部の側壁面４５ｄであって、メダル通路５１の上部には、メダル３９の転動方向に沿って導通孔５２，５３が間隔を空けて設けられている（図４参照）。これら導通孔５２，５３は、後述する第１検知センサ４９、第２検知センサ５０の検知光を通過させるために設けられている。なお、上述した間隔とは、１枚のメダル３９がメダル通路５１に送り込まれたときに、第１検知センサ４９、第２検知センサ５０が同時にオフとなる期間が設けられるように、また、連続してメダル３９が投入されたときには、先行するメダル３９が第２検知センサ５４によって、後続するメダル３９が第１検知センサ５５によって同時にオフとならない間隔である。
【００２７】
通過メダルセンサ４６は、上述した本体基部４５に設けられたセンサ組付部４５ａに組み付けられる。この通過メダルセンサ４６は、第１通過検知センサ５４（図７参照）、第２通過検知センサ５５（図７参照）とから構成されている。第１通過検知センサ５４、第２通過検知センサ５５は、詳細は記載しないが、発光部と受光部とから構成される光センサがそれぞれ用いられ、これらセンサによる検知位置は、メダル通路５１の図３中左方側端部となる。これらセンサは、スロットマシン２に給電が行われることによって、発光部から検知光が受光部に向けて照射され、受光部によってその検知光が受光されるとオンとなる。一方、メダル３９がメダル通路５１に送り込まれた場合に、メダル３９の径方向に沿った面（メダル３９の両面のうち、メダル通路５１の側壁面と対峙する面）によって発光部からの検知光が遮断されると、受光部は発光部からの検知光を受光することができなくなるのでオフとなる。なお、以下では、メダル３９の通過によって第１通過検知センサ５４、第２通過検知センサ５５が順次オフとなった後に、第１通過検知センサ５４、第２通過検知センサ５５が順次オンとなる場合に、通過メダルセンサ４６によってメダル３９が検知されるものとして説明する。
【００２８】
これら第１通過検知センサ５４と第２通過検知センサ５５はメダル３９の送り込み方向に間隔を空けて配置されている。なお、第１通過検知センサ５４と第２通過検知センサ５５との間隔は、１枚のメダル３９がメダル通路５１に送り込まれたときに、第１通過検知センサ５４、第２通過検知センサ５５の順でオフとなるが、第１通過検知センサ５４と第２通過センサ５５とのそれぞれが同時にオフとなる期間が設けられるように、また、連続してメダル３９が投入されたときには、先行するメダル３９が第２通過検知センサ５４によって、後続するメダル３９が第１通過検知センサ５５によって同時にオフとならない間隔である。
【００２９】
振分装置４７は、上述したように、本体基部４５に設けられた振分装置取付部４５ｃに取り付けられる。この振分装置４７は、振分装置取付部４５ｃの壁面に取り付けられる取り付け板５６、取り付け板５２に図３中Ｃ方向、或いはＤ方向に回動自在に取り付けられる回動板５７、この回動板５７励磁作用を与えて回動させるソレノイド９６（図７参照）及び回動板５７を付勢するバネ（図示せず）から構成されている。
【００３０】
取り付け板５６及び回動板５７は、金属製の薄板で形成されている。取り付け板５６は矩形状に形成されており、本体基部４５の振分装置取付部４５ｃの壁面と直交して突出するように取り付けられている。回動板５７は、その下端部の幅が、取り付け板５６と連結される端部の幅よりも広い略Ｔ字状に形成されており、取り付け板５６の突出方向の先端を回動軸にして取り付け板５６に取り付けられている。
【００３１】
回動板５７は、前述したソレノイド９６の励磁作用とバネの復元力によって、取り付け板５６の突出方向の先端を回動軸にして、メダル３９の通過を可能にする通過位置（図３中の実線で示す位置）と、メダル通路５１からメダル３９を図３中Ｅ方向に落下させる排出位置（図３中の二点鎖線で示す位置）との間で回動される。例えば、ソレノイド９６によって回動板５７が通過位置に保持されると、回動板５７の幅が広い部分であるメダル振り分け部５７ａとメダル通路５１を構成する壁面４５ｄとが略平行に対峙し、１枚のメダル３９が通過可能な隙間を形成する。また、通過位置に回動板５７が保持されると、メダル振り分け部５７ａの下端縁と、メダル３９の接触面となるメダル通路５１の底面との距離が正規のメダル３９の直径よりも狭くなるので、メダル３９の上縁部が支持される。これにより、回動板５７のメダル振り分け部５７ａがメダル通路５１を構成する壁面４５ｄと略平行となる通過位置に保持されると、メダル３９の上縁部がメダル振り分け部５７ａに支持されながらメダル通路５１を転動する。そして、メダルセレクタ４０のメダル通路５１を転動したメダル３９は、メダルセレクタ４０からメダル案内部材６０へと送り出され、最終的にメダル案内部材６０を転動したメダル３９は、ホッパー装置３５の貯留タンク３７に貯留される。
【００３２】
また、回動板５７が通過位置に保持されているときに、メダル投入口２８から投入されたメダル３９が正規の大きさのメダルよりも小さいメダルが投入された場合、正規の大きさのメダルと同様に、メダル入り口４５ａからメダル通路５１に送り込まれることになるが、メダル振り分け部５７ａによってメダル３９の上縁部が支持されないので、メダル通路５１から図３中Ｅ方向へと逸脱し、排出シュート４１へと落下する。なお、排出シュート４１には、メダル通路５１から逸脱したメダル３９を検知する排出メダルセンサ６７（図７参照）が設けられており、この排出メダルセンサ６７によってメダル３９が検知されると、制御部１２０（図７参照）にその検知信号が出力される。
【００３３】
一方、回動板５７が排出位置に保持されている場合、メダル振り分け部５７ａと、メダル通路５１を構成する壁面４５ｄとの略平行状態が解除されている。これにより、メダル振り分け部５７ａの下端縁と、メダル通路の底面との距離が正規のメダル３９の直径よりも広くなるので、メダル３９の上端部がメダル振り分け部５７ａに支持されなくなる。これにより、メダル通路５１を転動するメダル３９は、メダル通路５１から図３中Ｅ方向へと逸脱し、排出シュート４１へと落下する。
【００３４】
例えば、この回動板５７は、スロットマシン２の電源がオンされた場合に通過位置にセットされ、また、メダル３９がクレジットされている枚数が貯留数上限（例えば、５０枚）に達している場合や、遊技を行っている（スタートレバー２３を操作することによって第１、第２、第３リール１０，１１，１２が回転してから、全てのリール１０，１１，１２が停止されるまでの状態）場合に、排出位置にセットされる。
【００３５】
図４〜図６に示すように、シャッタ４８は、メダル通路５１の下流側端部であって、メダル通路５１の上方に設けられている。このシャッタ４８は、上述した導光孔５２，５３を遮蔽する遮蔽位置（図４参照）と、導光孔５２，５３を露呈する露呈位置（図５参照）との間で移動可能となるように、本体基部４５に組み付けられる。このシャッタ４８には、シャッタ用ソレノイド（駆動手段）１３０（図７参照）が連結されている。なお、シャッタ４８と、シャッタ用ソレノイド１３０との連結方法については、その詳細を記載しないが、シャッタ用ソレノイド１３０が、給電が行われることによって駆動鉄芯が移動するソレノイドの場合には、駆動鉄芯をシャッタと直接連結させる、或いはカム機構や、リンク機構等の連結機構を介して連結させる等、適宜の方法を用いることが可能である。
【００３６】
このシャッタ４８は遮蔽位置に保持されており、シャッタ用ソレノイド１３０への給電が行われると遮蔽位置から露呈位置へと移動し、シャッタ用ソレノイド１３０への給電が停止されると、露呈位置から遮蔽位置へと移動する。なお、シャッタ用ソレノイド１３０への給電が停止されたときに、シャッタ４８を露呈位置から遮蔽位置へと移動させる方法としては、シャッタ４８の自重を用いて、或いはシャッタ４８を遮蔽位置へと付勢するバネ等の付勢手段を用いることによって遮蔽位置へと移動させることが考えられる。
【００３７】
シャッタ４８は、その下面が開口された溝部６１を備えた形状から形成されている。このシャッタ４８は、本体基部４５の開口６４の下方に設けられた導光孔５２，５３を、メダル通路５１を構成する壁面４５ｄ側から覆う第１遮蔽部６２、及び本体基部４５の裏側から遮蔽する第２遮蔽部６３を備えており、第１遮蔽部６２と、第２遮蔽部６３との間に前記溝部６１が設けられている。この溝部６１は、シャッタ４８が露呈位置から遮蔽位置へと移動した場合に、本体基部４５の開口６４に連なる本体基部４５の壁面が挿通され、溝部６１を構成する壁面６１ａが、開口６４の内壁面のうちの下壁面６４ａに当接されることにより、シャッタ４８が遮蔽位置で保持される。
【００３８】
第２遮蔽部６３の両側面にはガイド片６３ａ，６３ｂが設けられており、このガイド片６３ａ，６３ｂは、メダル通路５１を構成する壁面とは反対側となる壁面、つまり本体基部４５の裏側の壁面に設けられたガイドレール６５，６６の溝部６５ａ，６６ａにそれぞれ挿通される。これにより、シャッタ４８が移動した場合に、シャッタ４８の移動方向が規制される。
【００３９】
メダルセンサ４９は、第１検知センサ６８、第２検知センサ６９から構成され、通過位置にあるメダル振り分け部５７ａによってメダル通路５１の下流端部まで転動したメダル３９を検知するために設けられている。第１検知センサ６８は、メダルセレクタ４０の本体基部４５のメダル通路５１側、つまり本体基部４５の表面側に配置され検知光を照射する発光部６８ａと、本体基部４５の裏面側に配置され発光部６８ａからの検知光を受光する受光部６８ｂとから構成されている。なお、これら発光部６８ａ及び受光部６８ｂは、検知光の光軸が、導光孔５２の中心軸と一致するように配置されている。例えば、シャッタ４８が遮蔽位置にあるとき（図４参照）や、メダル３９の通過時には、導光孔５２は遮蔽されるから、発光部６８ａからの検知光を受光部６８ｂにおいて受光することができない。これにより、第１検知センサ６８がオフとなる。一方、図５に示すように、シャッタ４８が露呈位置にあるときには、導光孔５２が露呈されるから、発光部６８ａから照射された検知光は、導光孔５２を通過して受光部６８ｂで受光されることになる。これにより、第１検知センサ６８がオンとなる。
【００４０】
第２検知センサ６９は、第１検知センサ６８と同様に、発光部６９ａと受光部６９ｂとから構成されている。この第２検知センサ６９における検知方法は、第１検知センサ６８と同一のため、その説明を省略する。この第２検知センサ６９によるメダル３９の検知は、導光孔５３を利用して行われる。例えば、メダル３９の通過時によって、第１検知センサ６８、第２検知センサ６９の順でオフとなった後に、第１検知センサ６８、第２検知センサ６９の順でオンとなる場合に、メダルセンサ４９によってメダル３９が検知されるものとして説明する。
【００４１】
図７は、スロットマシン２の電気的構成を示す機能ブロック図である。スロットマシン２の遊技制御は、制御装置（不正行為防止装置）９０によって行われる。この制御装置９０は、ＣＰＵ９１、ＲＯＭ９２及びＲＡＭ９３を備えた構成となっている。ＣＰＵ９１は、ＲＯＭ９２に記憶された遊技制御プログラム９５に基づいて、遊技における処理を行う。これを受けて、メダルセレクタ４０に設けられたソレノイド９６に給電が行われ、回動板５７が通過位置に保持される。
【００４２】
スタートスイッチセンサ９７は、スタートレバー２３の内部に設けられ、スタートレバー２３が操作されることによってオンとなり、そのオン信号（遊技開始信号）をＣＰＵ９１に向けて出力する。これを受けて、ＣＰＵ９１は第１リール１０、第２リール１１、第３リール１２の回転制御を行う。
【００４３】
第１リール１０、第２リール１１、第３リール１２の各リールの基準位置には、インデックス１０ａ，１１ａ，１２ａがそれぞれ設けられ、その一回転ごとにフォトセンサ１００，１０１，１０２によって、それぞれのインデックス１０ａ，１１ａ，１２ａの通過が光電検出される。フォトセンサ１００，１０１，１０２による検知信号は、リールごとのリセット信号としてＣＰＵ９１に出力される。なお、第１リール１０、第２リール１１、第３リール１２には、ステッピングモータ１０５，１０６，１０７の駆動軸がそれぞれ圧入されており、ステッピングモータ１０５，１０６，１０７の作動によって、これら第１リール１０、第２リール１１、第３リール１２が回転する。図７では、便宜上、第１リール１０とステッピングモータ１０５、第２リール１１とステッピングモータ１０６、第３リール１３とステッピングモータ１０７とをそれぞれ実線で囲って示してある。なお、符号１０８，１０９，１１０は、ステッピングモータ１０５，１０６，１０７をそれぞれ駆動させるドライバである。
【００４４】
なお、ＣＰＵ９１には、ステッピングモータごとにパルスカウンタ（図示せず）が設けられ、各々のステッピングモータに供給された駆動パルスの個数を計数する。これにより、フォトセンサ１００，１０１，１０２からのリセット信号が入力されるたびにクリアされ、再びアップカウントされる。ＣＰＵ９１は、リールごとにパルスカウンタのカウント値を監視することによって、例えば中央の入賞有効ライン上にどの図柄が移動してきているのかを識別することができ、また、どの程度リールを回転させれば目的の図柄がその入賞有効ライン上に移動してくるのかを予測することができる。
【００４５】
第１ストップボタン２５、第２ストップボタン２６、第３ストップボタン２７の内部にはストップスイッチセンサがそれぞれ設けられており、各ストップスイッチセンサからのオン信号がＣＰＵ９１に入力されると、ＣＰＵ９１はＲＯＭ９２に記憶された図柄テーブル（図示せず）を参照して、目的の図柄が表示窓８から停止されるように、或いは、目的の図柄が表示窓から表示できない場合には他の図柄を表示させるように、対応するステッピングモータへ駆動パルスを供給した後に、駆動パルスの供給を停止する。そして、入賞が得られたときに、ＣＰＵ９１はホッパー装置３５を作動させ、入賞に対する枚数のメダル３９を払い出す。なお、符号１１２は液晶コントローラであり、液晶表示装置１５の表示画面に画像を表示させるために設けられている。
【００４６】
ＣＰＵ９１は、制御部（駆動制御手段、駆動制御変更手段）１２０、タイマ（計時手段）１２１、通過メダルカウンタ（第２計数手段）１２２、メダルカウンタ（第１計数手段）１２３、計数値判定部（計数値判定手段）１２４及び時間判定部（時間判定手段）１２５を備えている。制御部１２０は、通過メダルセンサ４６からのメダル３９の検知信号を受けて、シャッタ用ソレノイド１３０に給電を開始する。シャッタ用ソレノイド１３０への給電が開始されると、シャッタ４８が遮蔽位置から露呈位置へと移動される。また、制御部１２０は、メダルセンサ４９からのメダル３９の検知信号を受けて、シャッタ用ソレノイド１３０への給電を停止する。シャッタ用ソレノイド１３０への給電を停止すると、シャッタ４８が露呈位置から遮蔽位置へと移動される。
【００４７】
タイマ１２１は、通過センサ４６からのメダル３９の検知信号が制御部１２０に入力されたことを契機にして計時を開始する。そして、メダルセンサ４９からのメダル３９の検知信号が制御部１２０に入力されたことを契機にして計時を停止する。タイマ１２１による経過時間Ｔは制御部１２０によって監視されており、この経過時間Ｔが予め設定された基準時間Ｕに到達しても、第１検知センサ６８、第２検知センサ６９からの出力信号がない場合には、制御部１２０はシャッタ用ソレノイド１３０への給電を停止する。さらに、排出メダルセンサ６７によってメダル通路５１から逸脱したメダル３９の検知信号が制御部１２０に出力された場合に、タイマ１２１における計時が停止される。
【００４８】
通過メダルカウンタ１２２は、通過メダルセンサ４６からのメダル３９の検知信号が制御部１２０に入力されたときに、そのカウント値Ｍが１加算される。一方、排出メダルセンサ６７からのメダル３９の検出信号が制御部１２０に入力されたときには、通過メダルカウンタ１２２のカウント値Ｍは１減算される。
【００４９】
メダルカウンタ１２３は、メダルセンサ４９からのメダル３９の検知信号が制御部１２０に入力されたときに、そのカウント値Ｎが１加算される。
【００５０】
時間判定部１２４は、タイマ１２１による経過時間Ｔが予め設定された許容時間の最小時間Ｖ１、最大時間Ｖ２（Ｖ１＜Ｖ２＜Ｕ）の範囲内（Ｖ１≦Ｔ≦Ｖ２）となるか否かを判定するために設けられる。例えば、正規のメダル３９が投入された場合には、タイマ１２１によって得られた経過時間Ｔが許容時間の範囲内、つまりＶ１≦Ｔ≦Ｖ２となる。一方、径が同一であっても材質が異なるメダル３９が投入された場合や、不正にメダル３９の投入を行おうとする場合にメダル投入口２８から挿入されるゴト器具１４５（図１４参照）の場合には、タイマ１２１によって得られる経過時間Ｔが、許容時間の範囲外、つまり、Ｔ＜Ｖ１、或いはＶ２＜Ｔとなる。これにより、許容時間の範囲外となる場合には、制御部１２０は、ＲＯＭ９２に記憶されたエラー処理プログラム１３１を読み出して、例えば液晶表示装置１５に警告表示を行う他に、図示しないスピーカによる警報音の再生を行う、或いはスロットマシン２に設けられたＬＥＤ等の電飾を、遊技における点灯・消灯制御とは異なる警報時の点灯・消灯制御を行う。また、遊技場に配設されたスロットマシン２の管理を行うホールコンピュータ（図示せず）へ警告信号を出力する。なお、許容時間の最小時間Ｖ１、最大時間Ｖ２は、例えば実験等によって求められるものである。
【００５１】
計数値判定部１２５は、通過メダルカウンタ１２２のカウント値Ｍと、メダルカウンタ１２３のカウント値Ｎとが一致しているか否かを判定するために設けられる。なお、これらカウンタのカウント値が一致しない、つまりＭ≠Ｎとなる場合には、制御部１２０はＲＯＭ９２に記憶されたエラー処理プログラム１３１を読み出して、例えば液晶表示装置１５に警告表示を行う他に、図示しないスピーカによる警報音の再生を行う、或いはスロットマシン２に設けられたＬＥＤ等の電飾を、遊技における点灯・消灯制御とは異なる警報時の点灯・消灯制御を行う。また、遊技場に配設されたスロットマシン２の管理を行うホールコンピュータ（図示せず）へ警告信号を出力する。
【００５２】
次に、本実施形態の作用について、図８に示すフローチャート、図９に示すタイミングチャートに基づいて説明する。スロットマシン２の電源がオンされると、制御装置９０のＣＰＵ９１は、ＲＯＭ９２に記憶された遊技制御プログラム９５を実行する。制御部１２０は、メダルセレクタ４０のソレノイド９６への給電を行う。スロットマシン２の電源がオフのときには、振分装置４７の回動板５７は、バネの復帰力によって排出位置にあるので、ソレノイド９６への給電が行われるとソレノイド９６の励磁作用により、回動板５７が排出位置から通過位置へと回動し、通過位置に保持される。また、スロットマシン２の電源がオンとなっても、すぐにはシャッタ用ソレノイド１３０への給電は行われないので、シャッタ４８は導光孔５２，５３を遮蔽する遮蔽位置に保持される。
【００５３】
スロットマシン２の電源がオンされると、通過検メダルセンサ４６は、第１通過検知センサ５４、第２通過検知センサ５５とも、それぞれの発光部から照射された検知光が対応する受光部において受光されているので、それぞれオンとなる。また、第１検知センサ６８、第２検知センサ６９の発光部６８ａ，６９ａから受光部６８ｂ，６９ｂに向けて検知光が発光される。このとき、シャッタ４８によって導光孔５２，５３がそれぞれ遮蔽されているので、検知光を受光部６８ｂ，６９ｂで受光することができない。これにより、第１検知センサ６８、第２検知センサ６９はオフになっている。
【００５４】
図１０、図１１に示すように、メダル３９がメダル投入口２８から投入されると、メダル３９は、メダルセレクタ４０に設けられたメダル入り口４５ａからメダル通路５１へと送り込まれる。このとき、通過メダルセンサ４６の第１通過検知センサ５４、第２通過検知センサ５５はそれぞれオンとなっており、メダル通路５１にメダル３９が送り込まれることによって、まず、第１通過検知センサ５４の発光部からの検知光が遮断され、受光部における検知光の受光ができなくなる。これにより、第１通過検知センサ５４がオフとなる。第１通過検知センサ５４がオフとなっている間も、メダル３９はメダル通路５１を図１０中Ａ方向に落下しているから、第１通過検知センサ５４に引き続き、第２通過検知センサ５５もオフとなる。
【００５５】
そして、メダル３９がメダル通路５１を落下することによって、第１通過検知センサ５４における検知光の光軸からメダル３９の径方向に沿う面が退避していくから、第１通過検知センサ５４の発光部からの検査光が受光部で受光される。これにより、第１通過検知センサ５４がオフからオンとなる。同様にして、第２通過検知センサ５５がオフからオンとなる。これにより、通過メダルセンサ４６から制御部１２０に向けてメダル３９の検知信号が出力される。これを受けて、制御部１２０は、通過メダルカウンタ１２２のカウント値Ｍを１加算する。
【００５６】
同時に、制御部１２０はタイマ１２１を作動させ、通過メダルセンサ４６においてメダル３９が検出されてからの経過時間Ｔを計時させるとともに、シャッタ用ソレノイド１３０に給電を開始する。シャッタ用ソレノイド１３０に給電が行われると、シャッタ４８が遮蔽位置から退避位置まで（図１１中Ｆ方向に）移動する。シャッタ４８が退避位置まで移動すると、導光孔５２，５３が露呈されることになるので、第１検知センサ６８の発光部６８ａからの検知光が導光孔５２を介して受光部６８ｂで受光されることになる。これにより、第１検知センサ４９がオンとなる。同様にして、第２検知センサ６９がオンとなる。
【００５７】
図１２，図１３に示すように、メダルセレクタ４０のメダル通路５１に送り込まれたメダル３９は、屈曲した部分まで落下する。そして、メダル通路５１の屈曲した部分に到達したメダル３９は、屈曲した部分よりも下流側のメダル通路５１を図１２中Ｂ方向に転動する。図１２中Ｂ方向に転動するメダル３９は、その下端縁を本体基部４５に設けられたガイド（図示せず）によって、その上端縁部を回動板５７のメダル振り分け部５７ａによって、それぞれ支持されながら、メダル通路５１の下流側に向けて転動していく。
【００５８】
メダル通路５１の下流側端部であって、メダル通路５１の上部には導光孔５２，５３が設けられており、転動するメダル３９は、まず導光孔５２を遮蔽することになる。メダル３９によって導光孔５２が遮蔽されると、第１検知センサ６８の受光部６８ｂは、発光部６８ａからの検知光を受光することができなくなるので、第１検知センサ６８がオフとなる。なお、転動するメダル３９は、導光孔５２を遮蔽した状態で、導光孔５３も遮蔽することになるので、第２検知センサ６９の受光部６９ｂは、発光部６９ａからの検知光を受光することができなくなる。これにより、第２検知センサ６９もオフとなる。メダル３９はメダル通路５１を図１２中Ｂ方向に転動しているから、導光孔５２からメダル３９が退避されることになり、第１検知センサ６８がオンとなる。その後、導光孔５３からメダル３９が退避することにより、第２検知センサ６９もオンとなる。これにより、メダルセンサ４９によるメダル３９の検知信号が制御部１２０に出力される。
【００５９】
制御部１２０は、メダルセンサ４９からのメダル３９の検知信号を受けて、メダルカウンタ１２２のカウント値Ｎを１加算する。同時に、制御部１２０はシャッタ用ソレノイド１３０への給電を停止させる。これを受けて、シャッタ４８が露呈位置から遮蔽位置へと移動する。さらに、制御部１２０は、タイマ１２１における経過時間Ｔの計時を終了させ、時間判定部１２５を作動させる。
【００６０】
時間判定部１２５は、タイマ１２１における経過時間Ｔが許容時間の範囲内（Ｖ１≦Ｔ≦Ｖ２）であるか否かを判定する。時間判定部１２５における判定でＶ１≦Ｔ≦Ｖ２となる場合には、制御部１２０は、正規のメダル３９が投入されたものと判定し、計数値判定部１２４を作動させる。一方、Ｔ＜Ｖ１、或いはＶ２＜Ｔとなる場合には、制御部１２０は正規の大きさのメダル３９が投入されていないと判定し、制御部１２０はＲＯＭ９２からエラー処理プログラム１３１を読み出して、例えば液晶表示装置１５にエラー表示を行う、図示しないスピーカによるエラー音の再生を行う、或いはＬＥＤ等の電飾を点灯・消灯制御させる。また、制御部１２０は、遊技場に配設されたスロットマシン２を管理するホールコンピュータへエラー信号を出力する。
【００６１】
計数値判定部１２５が作動されると、通過メダルカウンタ１２２のカウント値Ｍとメダルカウンタ１２３のカウント値Ｎとが比較される。そして、Ｍ＝Ｎとなる場合には、遊技者の操作に基づいた遊技処理が行われる。一方、Ｍ≠Ｎとなる場合には、正規のメダル３９が投入されていないことになるので、制御部１２０はＲＯＭ９２からエラー処理プログラム１３１を読み出して、例えば液晶表示装置１５にエラー表示を行う、図示しないスピーカによるエラー音の再生を行う、或いはＬＥＤ等の電飾を点灯・消灯制御させる。また、制御部１２０は、遊技場に配設されたスロットマシン２を管理するホールコンピュータへエラー信号を出力する。
【００６２】
例えば、正規のメダル３９をメダル投入口２８から１枚投入すると、通過メダルセンサ４６からメダル３９の検知信号が出力され、その所定時間が経過したときに、つまり、許容時間の範囲内（Ｖ１≦Ｔ≦Ｖ２）となる経過時間Ｔが経過した後に、メダルセンサ４９からメダル３９の検知信号が出力されることになる。この場合、通過メダルカウンタ１２２のカウント値ＭがＭ＝１となり、またメダルカウンタ１２３のカウント値ＮがＮ＝１となる。また、この場合、上述したように、通過メダルセンサ４６におけるメダル３９の検知から、メダルセンサ４９におけるメダル３９の検知までの経過時間Ｔは、Ｖ１≦Ｔ≦Ｖ２となるので、この場合は、制御部１２０は、メダル３９が投入されたことに対する処理を行う。そして、複数枚のメダル３９が投入された場合には、上述した処理が投入されたメダル３９の枚数分行われることになる。
【００６３】
例えばメダル投入口２８から投入されたメダル３９が、正規の大きさのメダルよりも小さいメダルの場合がある。図示は省略するが、この場合、正規の大きさのメダルと同様に、メダルセレクタ４０のメダル通路５１の内部に送り込まれるが、回動板５７のメダル振り分け部５７ａによって、メダル３９の上端縁部が支持されないので、メダル通路５１から図３中Ｅ方向に逸脱し、排出シュート４１に向けて落下する。排出シュート４１には排出メダルセンサ６７が設けられており、この排出メダルセンサ６７によって、排出シュート４１に落下したメダル３９が検出されることになる。そして、その検出信号が制御部１２０に入力されると、制御部１２０は、通過メダルカウンタ１２２のカウント値Ｍを１減算する。同時に、制御部１２０は、タイマ１２１による経過時間Ｔの計時を停止させるとともに、シャッタ用ソレノイド１３０への給電を停止する。これを受けて、シャッタ４８が露呈位置から遮蔽位置へと移動する。これにより、正規の大きさのメダルよりも小さいメダルが投入された後に、正規の大きさのメダルが投入されたときに、通過メダルカウンタ１２２のカウント値Ｍと、メダルカウンタ１２３のカウント値Ｎとの整合性をとることができる。
【００６４】
また、通過メダルセンサ４６からのメダル３９の検知信号が制御部１２０に出力されたにも関わらず、メダルセンサ４９からのメダル３９の検知信号が制御部１２０に出力されない場合がある。この場合、制御部１２０は、タイマ１２１における経過時間Ｔを監視しているから、経過時間Ｔが予め設定された基準時間Ｕに到達しても、メダルセンサ４９からのメダル３９の検知信号が出力されない場合は、例えばメダル詰まり等のエラーであると判断し、ＲＯＭ９２からエラー処理プログラム１３１を読み出して、例えば液晶表示装置１５にエラー表示を行う、図示しないスピーカによるエラー音の再生を行う、或いはＬＥＤ等の電飾を点灯・消灯制御させる。また、制御部１２０は、遊技場に配設されたスロットマシン２を管理するホールコンピュータへエラー信号を出力する。
【００６５】
遊技者の中には、上述した正規のメダル３９を投入して遊技を行う遊技者の他に、正規のメダル３９を用いずに、メダル３９の投入を不正に行う道具、所謂ゴト器具１４０を用いて不正なメダル３９の投入処理を行おうとする遊技者がいる。
【００６６】
図１４に示すように、例えば、通過メダルセンサ４６が配設されていることを知らずに、ゴト器具１４０を用いた場合、例えば、導光孔５２，５３の位置にゴト器具１４０の先端部に設けられたＬＥＤ１４１，１４２を対面させた後にこれらＬＥＤ１４１，１４２を点滅させたとしても、通過メダルセンサ４６から検知信号が制御部１２０に出力されていないので、シャッタ４８は遮蔽位置に保持されたままである。これにより、あたかもメダル３９が通過しているように、ゴト器具１４０の先端部に設けられたＬＥＤ１４１，１４２を点滅させたとしても、シャッタ４８が遮蔽位置にあるから、ＬＥＤ１４１，１４２からの照射光は、シャッタ４８によって遮断されることになる。よって、ゴト器具１４０を用いてメダルが通過したことを誤って検知させようとする不正行為を防止することができる。
【００６７】
また、図１５に示すように、ゴト器具１４５によってシャッタ４８を退避位置まで移動させ、ゴト器具１４５の先端部に設けられたＬＥＤ１４６，１４７を点滅させることによって、メダル３９の検知を誤って行わせようとする不正行為を行ったとしても、通過メダルセンサ４６からの検知信号が出力されていないので、計数値判定部１２４において、通過メダルカウンタ１２２のカウント値Ｍと、メダルカウンタ１２３のカウント値ＮとがＭ≠Ｎとなる。これにより、制御部１２０では不正行為が行われていることがわかるので、結果的にエラー処理が行われることになる。これにより、ゴト器具１４５を用いてシャッタ４８を退避位置まで移動させてあたかもメダルの通過を誤って検知させた場合と、正規のメダルが投入された場合とを差別化することができ、このような不正にメダル投入を行う行為を防止することができる。
【００６８】
また、ゴト器具をメダル投入口２８から挿入したときに、通過メダルセンサ４６にメダルの通過を誤って検知させ、さらにメダルセンサ４９にメダルの通過を誤って検知させることが考えられるが、通過メダルセンサ４６における検知から、メダルセンサ４９における検知までの経過時間Ｔが、実際に正規のメダルが投入されたときの経過時間Ｔとは異なり、確実に許容時間の範囲外となるから、結果的に制御部１２０によってエラー処理が行われることになる。これにより、ゴト器具を用いて不正にメダル投入を行う場合と、正規のメダルを投入する場合とを差別化することができ、このような不正にメダル投入を行う行為を防止することができる。
【００６９】
さらに、例えば先端にＬＥＤが配設されたゴト器具に、通過メダルセンサ４６の位置に合わせてＬＥＤを配設することが考えられるが、それぞれのＬＥＤを通過メダルセンサ４６に合わせた位置にＬＥＤを配置する必要があり、また、各ＬＥＤの点灯・消灯タイミングが難しいため、このようなゴト器具に改造したとしても、実際にそのようなゴト器具を用いて操作を行うことは難しい。これにより、本発明の構成にすることで、ゴト器具を用いて不正にメダルの投入を行わせる行為を防止することができる。
【００７０】
本実施形態では、第１通過検知センサ、第２通過検知センサが順次オフとなった後に、第１通過検知センサ第２通過検知センサそれぞれオンとなった場合に通過メダルセンサによってメダルが検知されるとしたが、これに限定する必要はなく、メダルが通過することによって、第１通過検知センサ及び第２通過検知センサがそれぞれオフとなったときにメダルが検知されたものとしてもよい。なお、メダルセンサにおいてメダルが検知されることについても同様である。
【００７１】
本実施形態では、メダルの通過によって第１通過検知センサ、第２通過検知センサが順次オフとなった後に、第１検知センサ、第２検知センサが順次オンとなる場合に、タイマにおける経過時間Ｔの計時を開始させるようにしたが、これに限定する必要はなく、第１検知センサがオフとなる場合に、タイマにおける経過時間Ｔの計時を終了させるようにしてもよい。また、この他に、第１検知センサ、第２検知センサが順次オフとなる場合にタイマにおける経過時間Ｔの計時を終了させるようにしてもよい。
【００７２】
同様にして、タイマにおける経過時間Ｔの計時を終了させる条件は、本実施形態に限定する必要はなく、メダルの通過によって第１検知センサがオフとなる場合に、タイマにおける経過時間Ｔの計時を終了させるようにしてもよい。また、この他に、第１検知センサ、第２検知センサが順次オフとなる場合にタイマにおける経過時間Ｔの計時を終了させるようにしてもよい。
【００７３】
本実施形態では、許容時間の最小時間Ｖ１と最大時間Ｖ２とを設け、タイマにおける経過時間Ｔがこれら時間Ｖ１，Ｖ２の範囲内にあるか否かを判定したが、これに限定する必要はなく、例えば、基準時間Ｘと、この基準時間に対する誤差αとを設け、許容時間をＸ±αとして、経過時間Ｔが、Ｘ−α≦Ｔ≦Ｘ＋αの範囲にあるか、Ｔ＜Ｘ−α、Ｘ＋α＜Ｔの範囲にあるかを判定してもよい。
【００７４】
本実施形態では、シャッタの上流側に通過メダルセンサを設け、この通過メダルセンサによってメダルが検知されたことによって、シャッタを遮蔽位置から露呈位置まで移動させたが、これに限定する必要はなく、通過メダルセンサの代わりに、例えば、メダル通路を構成する壁面のうち、メダルの径方向に沿う面と対峙する面からメダル通路の内部に突出し、メダル通路に送り込まれたメダルによってメダル通路から退避する突出片と、メダル通路から退避した突出片を検知する検知センサとをメダルセレクタに設け、この検知センサによって突出片が検知された場合に、シャッタ用ソレノイドに給電を行うようにしてもよい。
【００７５】
また、この他に、メダル通路内に突出する押圧片を複数、所定の角度ピッチで配設した回転体と、回転体の押圧片を検知する複数の検知センサとをメダルセレクタに設け、回転体に設けられた押圧片のいずれかをメダル通路に突出させることが考えられる。この場合、メダル通路に突出する押圧片がメダル通路に送り込まれたメダルによって押圧されることによって、回転体が所定方向に回転したときに、上記複数の検知センサが、他の押圧片を検知する。これにより、回転体の回転方向がわかるので、正規のメダルが投入された場合には、所定方向にメダルが回転する。この場合に、シャッタを露呈位置まで移動させる。一方、ゴト器具をメダル投入口から投入した場合には、回転体が回転しない、或いは、回転体が回転したとしても、正規のメダルが投入された場合の回転方向とは異なる方向、又は、回転体が揺動することになり、正規のメダルが投入された場合との差別化を図ることができる。
【００７６】
本実施形態では、メダル通路から排出シュートに落下したメダルを排出メダルセンサによって検知し、その検知信号を受けたときに、通過メダルセンサのカウント値を１減算したが、これに限定する必要はなく、例えば、メダルセンサのカウント値を１加算してもよい。
【図面の簡単な説明】
【００７７】
【図１】本発明のスロットマシンの外観を示す斜視図である。
【図２】スロットマシン内部の構成を示す斜視図である。
【図３】メダルセレクタの構成を示す斜視図である。
【図４】遮蔽位置にあるシャッタとメダルセンサとの位置関係を示す斜視図である。
【図５】露呈位置にあるシャッタとメダルセンサとの位置関係を示す斜視図である。
【図６】シャッタの後面側の構成を示す斜視図である。
【図７】スロットマシンの電気的構成を示す機能ブロック図である。
【図８】メダルの投入に基づいた処理の流れを示すフローチャートである。
【図９】通過メダルセンサ、及びメダルセンサの検知タイミングを示すタイミングチャートである。
【図１０】投入されたメダルが第１通過検知センサによって検知されたときのメダル及びメダルセレクタ近傍を示す正面図である。
【図１１】投入されたメダルが第１通過検知センサ、及び第２通過検知センサによって検知されたときのメダル及びメダルセレクタ近傍を示す正面図である。
【図１２】投入されたメダルがメダル振り分け部によって支持されながら転動する状態を示す正面図である。
【図１３】投入されたメダルが、第１検知センサ、第２検知センサによって検知されている状態を示す正面図である。
【図１４】ゴト器具をメダル投入口から挿入したときのメダルセレクタの状態を示す正面図である。
【図１５】ゴト器具によってシャッタを露呈位置まで移動させ、不正にメダルの投入動作を行わせる場合の一例を示す正面図である。
【符号の説明】
【００７８】
２  スロットマシン
２８  メダル投入口
３９  メダル
４０  メダルセレクタ（不正行為防止装置）
４６  通過メダルセンサ（メダル通過センサ）
４８  シャッタ（遮蔽部材）
４９  メダルセンサ（カウントセンサ）
５１  メダル通路
９０  制御装置（不正行為防止装置）
１２０  制御部（駆動制御手段、駆動制御変更手段）
１２１  タイマ（計時手段）
１２２  通過メダルカウンタ（第２計数手段）
１２３  メダルカウンタ（第１計数手段）
１２４  計数値判定部（計数値判定手段）
１２５  時間判定部（時間判定手段）
１３０  シャッタ用ソレノイド（駆動装置）
【図１】
2006254992.tif 000003
【図２】
2006254992.tif 000004
【図３】
2006254992.tif 000005
【図４】
2006254992.tif 000006
【図５】
2006254992.tif 000007
【図６】
2006254992.tif 000008
【図７】
2006254992.tif 000009
【図８】
2006254992.tif 000010
【図９】
2006254992.tif 000011
【図１０】
2006254992.tif 000012
【図１１】
2006254992.tif 000013
【図１２】
2006254992.tif 000014
【図１３】
2006254992.tif 000015
【図１４】
2006254992.tif 000016
【図１５】
2006254992.tif 000017